(57)【要約】【課題】低コストで組立精度の高い１２面体スピーカボックス及び該スピーカボックスを用いた１２面体スピーカを提供する。【解決手段】１２面体スピーカＳＰ２のスピーカボックス１０を１２枚の５角形パネル２０で構成し、該５角形パネル２０における他の５角形パネルとの接合部２８に凹部２６を設け、該凹部２６に弾性体２４を装着し、更に各５角形パネル２０を、３枚のパネルを同時に連結可能な連結部材３０により連結し構成する。【選択図】図４
2006333227.tif 000002
【特許請求の範囲】
【請求項１】
１２枚の５角形パネルの外形線を稜線として結合した正１２面体形状であって、５角形パネル略中央部にスピーカユニット設置孔を設けた、複数の５角形パネルを結合してなるスピーカボックスと、前記スピーカユニット設置孔に設置されたスピーカユニットとを有する１２面体スピーカにおいて、
前記５角形パネルにおける他の５角形パネルとの接合部には弾性体が備わっており、
更に、各５角形パネルは、３枚のパネルを同時に連結可能な連結部材により連結されている
ことを特徴とする１２面体スピーカ。
【請求項２】
請求項１において、
前記接合部には凹部が設けられ、該凹部に前記弾性体が備わっている
ことを特徴とする１２面体スピーカ。
【請求項３】
請求項２において、
前記弾性体はＯリングである
ことを特徴とする１２面体スピーカ。
【請求項４】
１２枚の５角形パネルの外形線を稜線として結合した正１２面体形状であって、５角形パネル略中央部にスピーカユニット設置孔を設けた、複数の５角形パネルを結合してなるスピーカボックスにおいて、
前記５角形パネルにおける他の５角形パネルとの接合部には弾性体が備わっており、
更に、各５角形パネルは、３枚のパネルを同時に連結可能な連結部材により連結されている
ことを特徴とする１２面体スピーカボックス。
【請求項５】
請求項４において、
前記接合部には凹部が設けられ、該凹部に前記弾性体が備わっている
ことを特徴とする１２面体スピーカボックス。
【請求項６】
請求項５において、
前記弾性体はＯリングである
ことを特徴とする１２面体スピーカボックス。
【発明の詳細な説明】
【技術分野】
【０００１】
本発明は、１２面体スピーカ及び１２面体スピーカ用スピーカボックスに関する。
【背景技術】
【０００２】
従来、図７に示されるような１２個のスピーカユニット３を有した１２面体スピーカが知られている（例えば特許文献１参照）。
【０００３】
このような１２面体スピーカ１は、周囲に向けて均等に配置された１２個のスピーカユニット３によって極めて広い指向特性が得られ、高級な音響機器として利用されている。
【０００４】
【特許文献１】特開２００５−５１６９４号公報
【発明の開示】
【発明が解決しようとする課題】
【０００５】
しかしながら、正１２面体形状のように複雑な形状をアルミニウム等の材料を用いてダイキャストにより一体成形する場合には、製造コストが増大してしまう。即ち、少なくともスピーカボックスの大きさ以上の金型が必要であり、又、スピーカユニット取付用の孔を１２面体に成形するために、スライド型を用いる必要があるからである。
【０００６】
一方で、スピーカボックスの表面を構成する５角形パネルを１２枚用意し、それらを全て溶接して製造することも考えられるものの、溶接必要箇所（距離）が相対的に大となり、熱による歪みの発生量が大きくなる。又、溶接に要するコストも大きく、工程も複雑となる。
【０００７】
本発明は、これらの問題点を解決するべくなされたものであって、低コストで、歪の少ない１２面体スピーカボックス及び該スピーカボックスを用いた１２面体スピーカを提供するものである。
【課題を解決するための手段】
【０００８】
本発明は、１２枚の５角形パネルの外形線を稜線として結合した正１２面体形状であって、５角形パネル略中央部にスピーカユニット設置孔を設けた、複数の５角形パネルを結合してなるスピーカボックスと、前記スピーカユニット設置孔に設置されたスピーカユニットとを有する１２面体スピーカにおいて、前記５角形パネルにおける他の５角形パネルとの接合部に弾性体を備え、更に、各５角形パネルを、３枚のパネルを同時に連結可能な連結部材により連結した構成とすることにより、上記課題を解決するものである。
【０００９】
又、前記接合部に凹部を設け、該凹部に前記弾性体を備えてもよい。
【００１０】
又、前記弾性体をＯリングとしてもよい。
【００１１】
又、本発明は、１２枚の５角形パネルの外形線を稜線として結合した正１２面体形状であって、５角形パネル略中央部にスピーカユニット設置孔を設けた、複数の５角形パネルを結合してなるスピーカボックスにおいて、前記５角形パネルにおける他の５角形パネルとの接合部に弾性体を備え、更に、各５角形パネルを、３枚のパネルを同時に連結可能な連結部材により連結した構成とすることにより上記課題を解決するものである。
【００１２】
又、前記接合部に凹部を設け、該凹部に前記弾性体を備えてもよい。
【００１３】
又、前記弾性体をＯリングとしてもよい。
【００１４】
尚、頂点とは正１２面体の表面上に存在する２０箇所の凸部のことである。又、稜線とは、正１２面体における５角形の外形を構成し且つ頂点同士を結んだ直線のことである。
【発明の効果】
【００１５】
本発明により、１枚の５角形パネルを成形できる程度の小さな金型でスピーカボックス全体を成形できるためコストを大幅に低減できる。
【００１６】
又、パネル同士を直接溶接することなく組立てることができるため、精度の高いスピーカボックス、更には１２面体スピーカを製造することができる。
【００１７】
又、各５角形パネル同士の接合面に弾性体を備えることにより、スピーカボックスの密封性の向上、対共振性能の向上が期待できる。
【発明を実施するための最良の形態】
【００１８】
添付図面を用いて本発明の実施形態の例を詳細に説明する。
【００１９】
図１、図２に示すように、１２面体スピーカＳＰ２は、スピーカボックス１０と、１２個のスピーカユニット４とを備えた構成とされている。
【００２０】
前記スピーカボックス１０は正１２面体の形状を有しており、１２枚の５角形パネル２０で構成されている。
【００２１】
各５角形パネル２０の略中央部には、スピーカユニット４を設置するためのスピーカユニット設置孔１２がそれぞれ設けられている。又、該スピーカユニット設置孔１２の周囲には、設置したスピーカユニット４を固定するための複数のスピーカユニット固定孔１４が設けられているが、必須のものではなく、例えば、接着することにより固定してもよい。
【００２２】
前記５角形パネル２０はアルミニウム等の金属によりダイキャスト形成されている。
【００２３】
図３、図４に示すように、前記５角形パネル２０には、組み立て時にスピーカボックス１０の外側面となるパネル表面２０Ａと、内側面となるパネル裏面２０Ｂとが存在し、パネル表面２０Ａの方が、パネル裏面２０Ｂに比べてその面積は大である。
【００２４】
これは、スピーカボックス組立て時において、他のパネルとのパネル接合面２８に隙間が生じないようにするべく、パネル表面２０Ａに対して、パネル接合面２８が約５４°の角度で設けられているからである。
【００２５】
又、全ての５角形パネル２０のパネル接合部２８略中央部には、パネル一周にわたって凹部２６が設けられている。更に該凹部２６にはＯリング（弾性体）が装着されている。但し、前記凹部２６は必ずしも一周にわたって設けられていなくてもよく、又、前記弾性体は５角形パネルを構成する部材に比べて弾性係数の低い部材であるならば必ずしもＯリングである必要はない。又、凹部２６を設けずに薄い形状の弾性体を狭持して構成してもよい。又、接着性（粘着性）を備える弾性体を使用することで、スピーカボックス１０の強度向上を図った構成としてもよい。
【００２６】
図４に示すように、前記５角形パネル２０の凹部２６の窪みの程度は、弾性体２４の厚みよりも小さいために、弾性体２４を装着しただけの自然状態においては、弾性体２４の一部がパネル接合部２８から膨出している。
【００２７】
これらの５角形パネル２０は、すべてのパネル接合面２８が他の５角形パネルの接合面２８と接するようにして組み立てられている。このとき、３枚の５角形パネルが接する点、即ち、スピーカボックス１０の頂点１６部分には、パネル裏面２０Ｂ側から略三角錐形状の連結部材３０が取り付けられ、３枚の５角形パネル２０を固定している（図６参照）。勿論、裏面からではなく、表面に取り付けてもよく、更に両方の面に取り付けてもよい。更に、３枚のパネルを同時に固定できる部材であればよく、三角錐形状であることが必須の条件ではない。
【００２８】
結果として、スピーカボックス１０の２０箇所ある頂点１６の部分は、それぞれが前記連結部材３０により固定されている。
【００２９】
尚、連結部材３０による３枚の５角形パネル２０の固定方法は種々考えられ、例えば、図示せぬボルト等により固定してもよく、接着剤により固定してもよい。
【００３０】
又、前記連結部材３０は、スピーカボックス１０に存在する２０箇所の全ての頂点１６部分で用いられるのが強度的にも最も好ましいが、スピーカユニット４の出力や、５角形パネル２０の材質等により、一部省略することも可能である。
【００３１】
このように連結された５角形パネル２０のパネル接合部２８は、図５のような状態となる。即ち、膨出していた弾性体２４同士が互いの反力により押しつぶされて密着する。このことは、スピーカボックス１０全体の密封性（気密性）を向上させ、更に、スピーカユニット４が音を出すために振動した場合でも、弾性体２４がパネルの振動（共振）を抑える動きをするため、耐共振性能も向上する。
【００３２】
尚、前述した１２枚の５角形パネル２０は、必ずしも全てが全く同一の形状である必要はない。即ち、スピーカスタンド等の取付部分が必要な場合はその部分のパネルのみを例えば肉厚にする等して設計してもよい。
【００３３】
このようにスピーカボックスを１２枚の５角形パネルとして用意することで、小さな金型でスポーカボックス１０を製造することが可能となる。これは、成形する際の金型のストローク量が小さいことを意味し、成形装置全体のコンパクト性にも寄与し得る。又、直接パネル同士を溶接することなくスピーカボックス１０が出来あがるため、溶接の熱による歪の影響を受け難く、組立精度を向上させることができる。
【００３４】
尚、スピーカボックスの素材はアルミニウムであることを前提として説明したが、必ずしもこれに限られるものではなく、例えば、鉄材やマグネシウム、ステンレス等の金属類をはじめ、樹脂類、更には木材等を使用することも可能である。鉄材によれば特に堅牢性向上に寄与し、マグネシウムによれば特に堅牢性及び軽量化に寄与し、ステンレスによれば耐腐食性に寄与し、樹脂によれば特に軽量化及びコスト低減に寄与し、木材によれば、軽量化や意匠性の向上に寄与するという特徴及び利点がある。製造コストを考慮すれば、アルミニウム等のダイキャスト成形やサンドキャスト成形、プレス成形、又は樹脂の射出形成、ブロー成形、インジェクション成形等が好ましい。
【００３５】
又、前述の説明では１２面体の１２の面全てにスピーカユニットが設置されていることを前提に説明したが、必ずしもこれに限られるものではない。例えば、１の面を底面として床に設置する場合や、壁の付近に設置する場合等には、一部の面にはスピーカユニットの代わりに、塞ぎプレート等を設置してもよい。
【産業上の利用可能性】
【００３６】
１２面体スピーカのみならず、広く他の多面体スピーカにも利用することができる。
【図面の簡単な説明】
【００３７】
【図１】１２面体スピーカの全体図
【図２】スピーカボックス単体の全体図
【図３】５角形パネルの全体図であり、（Ａ）が正面図、（Ｂ）が側面図
【図４】図３における矢示IV部の拡大斜視図
【図５】図２における矢示V−V線に沿う断面図であって、２枚の５角形パネルの接合状態を示す図
【図６】３枚の５角形パネルと連結部材の位置関係を示す図
【図７】公知の１２面体スピーカ
【符号の説明】
【００３８】
ＳＰ２…１２面体スピーカ
４…スピーカユニット
１０…スピーカボックス
１２…スピーカユニット設置孔
１４…スピーカユニット固定孔
１６…頂点
２０…５角形パネル
２４…弾性体
２６…凹部
２８…パネル接合部
３０…連結部材
【図１】
2006333227.tif 000003
【図２】
2006333227.tif 000004
【図３】
2006333227.tif 000005
【図４】
2006333227.tif 000006
【図５】
2006333227.tif 000007
【図６】
2006333227.tif 000008
【図７】
2006333227.tif 000009